【手続補正書】
【提出日】平成18年6月9日(2006.6.9)
【手続補正１】
【補正対象書類名】特許請求の範囲
【補正対象項目名】全文
【補正方法】変更
【補正の内容】
【特許請求の範囲】
【請求項１】
クライアント端末とネットワークを介して接続されている電子帳票管理サーバであって、
電子帳票を保存する保存手段と、
前記クライアント端末で指定された領域に関する情報を受信する受信手段と、
前記受信手段により取得した領域に関する情報に基づき、前記保存手段に保存された電子帳票からデータを抽出する抽出手段と、
前記抽出手段で抽出されたデータが複数行に亘るデータであった場合に、当該複数行のデータを複数列のデータとなるよう出力データを生成する生成手段と
を有することを特徴とする電子帳票管理サーバ。
【請求項２】
前記受信手段で受信する領域に関する情報は、複数領域の情報であることを特徴とする請求項１に記載の電子帳票管理サーバ。
【請求項３】
前記生成手段は、前記指定された領域が行見出し設定された領域である場合に、前記出力データを生成することを特徴とする請求項１または２に記載の電子帳票管理サーバ。
【請求項４】
前記行見出し設定された領域のデータは、出力の対象となる他の領域に該当するデータの行数分繰り返し用いられることを特徴とする請求項３に記載の電子帳票管理サーバ。
【請求項５】
前記生成手段は、前記クライアント端末で指定された領域の出力順序に基づいて、出力列順序を決定し、前記出力データの生成を行うことを特徴とする請求項１乃至４のいずれか１項に記載の電子帳票管理サーバ。
【請求項６】
前記生成手段は、前記指定された領域に該当するデータの位置関係に基づいて、前記出力データを生成することを特徴とする請求項１乃至４のいずれか１項に記載の電子帳票管理サーバ。
【請求項７】
前記生成手段で生成する出力データは、レコード単位で生成されることを特徴とする請求項１乃至６のいずれか１項に記載の電子帳票管理サーバ。
【請求項８】
前記出力データは、表形式で出力されるデータであることを特徴とする請求項１乃至７のいずれか１項に記載の電子帳票管理サーバ。
【請求項９】
クライアント端末とネットワークを介して接続されている電子帳票管理サーバであって、
電子帳票を保存する保存手段と、
前記クライアント端末で指定された領域情報を受信する受信手段と、
前記受信手段により取得した領域情報に基づき、前記保存手段に保存された電子帳票からデータを抽出する抽出手段と、
前記領域情報に対応する行見出し設定情報がある場合、前記抽出手段で抽出したデータを前記領域情報に対応する行見出し設定情報がない領域のデータの行見出しデータとして出力データを生成する生成手段と
を有することを特徴とする電子帳票管理サーバ。
【請求項１０】
前記生成手段は、前記領域情報に対応する行見出し設定情報がない領域のデータが複数行に亘る場合、前記領域情報に対応する行見出し設定情報がある領域のデータを、前記複数行の行見出しデータとして繰り返し用いて、前記出力データを生成することを特徴とする請求項９に記載の電子帳票管理サーバ。
【請求項１１】
前記生成手段で生成する出力データは、レコード単位で生成されることを特徴とする請求項９または１０に記載の電子帳票管理サーバ。
【請求項１２】
クライアント端末と電子帳票管理サーバとが、ネットワークを介して接続されている出力データ作成システムであって、
前記クライアント端末は、
電子帳票を受信する第１の受信手段と、
前記電子帳票内の出力するデータの領域を指定可能な領域指定手段と、
前記領域指定手段で指定した領域に係る領域情報を前記電子帳票管理サーバに送信する送信手段とを有し、
前記電子帳票管理サーバは、前記クライアント端末から前記領域情報を受信する第２の受信手段と、
前記領域情報に対応するデータを前記電子帳票から抽出する抽出手段と、
前記領域情報に対応する行見出し設定情報がある場合、前記抽出手段で抽出したデータを前記領域情報に対応する行見出し設定情報がない領域のデータの行見出しデータとして出力データを生成する生成手段と
を有することを特徴とする出力データ作成システム。
【請求項１３】
前記第２の受信手段で受信した領域情報に対応する行見出し設定情報があり、
前記生成手段は、前記行見出し設定情報に対応するデータが複数行に亘るデータであった場合に、当該複数行のデータを複数列のデータとなるよう前記出力データを生成することを特徴とする請求項１２に記載の出力データ作成システム。
【請求項１４】
電子帳票を管理する電子帳票管理サーバとネットワークを介して接続されたクライアント端末であって、
前記電子帳票を受信する受信手段と、
前記受信手段で受信した電子帳票を表示制御する表示制御手段と、
前記表示制御手段で表示された電子帳票の領域を指定可能な領域指定手段と、
前記領域指定手段で指定された領域に対応するデータを、他の領域に対応するデータの行の見出しデータとして出力する設定を行う行見出し領域設定手段と、
前記領域指定手段で指定した領域に係る領域情報と前記行見出し領域設定手段で設定された領域に係る行見出し設定情報とを前記電子帳票管理サーバに送信する送信手段とを有し、
前記送信手段から前記領域情報と前記行見出し設定情報とを送信することにより、前記電子帳票サーバにおいて、前記領域指定手段で指定された領域に対応するデータを行見出しデータとして繰り返し用いて出力データを生成させることを特徴とするクライアント端末。
【請求項１５】
前記受信手段は、前記送信手段から送信した前記領域情報と前記行見出し設定情報とに基づき前記電子帳票管理サーバで生成された前記出力データをさらに受信し、
前記受信手段で受信した前記出力データを表形式で表示可能なファイルデータとして出力する出力手段をさらに有することを特徴とする請求項１４に記載のクライアント端末。
【請求項１６】
前記表示制御手段は、前記行見出し領域設定手段で設定された領域を他の行見出し設定されていない領域と識別可能に表示制御することを特徴とする請求項１４または１５に記載のクライアント端末。
【請求項１７】
クライアント端末とネットワークを介して接続されている電子帳票管理サーバにおける出力データ作成方法であって、
電子帳票を保存する保存ステップと、
前記クライアント端末で指定された領域に関する情報を受信する受信ステップと、
前記受信ステップにより取得した領域に関する情報に基づき、前記保存ステップで保存された電子帳票からデータを抽出する抽出ステップと、
前記抽出ステップで抽出されたデータが複数行に亘るデータであった場合に、当該複数行のデータを複数列のデータとなるよう出力データを生成する生成ステップと
を有することを特徴とする出力データ作成方法。
【請求項１８】
クライアント端末とネットワークを介して接続されている電子帳票管理サーバにおける出力データ作成方法であって、
電子帳票を保存する保存ステップと、
前記クライアント端末で指定された領域情報を受信する受信ステップと、
前記受信ステップにより取得した領域情報に基づき、前記保存ステップで保存された電子帳票からデータを抽出する抽出ステップと、
前記領域情報に対応する行見出し設定情報がある場合、前記抽出ステップで抽出したデータを前記領域情報に対応する行見出し設定情報がない領域のデータの行見出しデータとして出力データを生成する生成ステップと
を有することを特徴とする出力データ作成方法。
【請求項１９】
請求項１７または１８に記載の出力データ作成方法をコンピュータに実行させるためのプログラム。
【手続補正２】
【補正対象書類名】明細書
【補正対象項目名】発明の名称
【補正方法】変更
【補正の内容】
【発明の名称】電子帳票管理サーバ、クライアント端末、出力データ作成システム、出力データ作成方法及びプログラム
【手続補正３】
【補正対象書類名】明細書
【補正対象項目名】０００１
【補正方法】変更
【補正の内容】
【０００１】
本発明は、電子帳票管理サーバ、当該電子帳票管理サーバとネットワークを介して接続されたクライアント端末、これらの装置を有する出力データ作成システム、出力データ作成方法、当該出力データ作成方法をコンピュータに実行させるためのプログラムに関する。
【手続補正４】
【補正対象書類名】明細書
【補正対象項目名】０００９
【補正方法】変更
【補正の内容】
【０００９】
本発明の電子帳票管理サーバは、クライアント端末とネットワークを介して接続されている電子帳票管理サーバであって、電子帳票を保存する保存手段と、前記クライアント端末で指定された領域に関する情報を受信する受信手段と、前記受信手段により取得した領域に関する情報に基づき、前記保存手段に保存された電子帳票からデータを抽出する抽出手段と、前記抽出手段で抽出されたデータが複数行に亘るデータであった場合に、当該複数行のデータを複数列のデータとなるよう出力データを生成する生成手段とを有する。
【手続補正５】
【補正対象書類名】明細書
【補正対象項目名】００１０
【補正方法】変更
【補正の内容】
【００１０】
本発明の電子帳票管理サーバにおける他の態様は、クライアント端末とネットワークを介して接続されている電子帳票管理サーバであって、電子帳票を保存する保存手段と、前記クライアント端末で指定された領域情報を受信する受信手段と、前記受信手段により取得した領域情報に基づき、前記保存手段に保存された電子帳票からデータを抽出する抽出手段と、前記領域情報に対応する行見出し設定情報がある場合、前記抽出手段で抽出したデータを前記領域情報に対応する行見出し設定情報がない領域のデータの行見出しデータとして出力データを生成する生成手段とを有する。
【手続補正６】
【補正対象書類名】明細書
【補正対象項目名】００１１
【補正方法】変更
【補正の内容】
【００１１】
本発明の出力データ作成システムは、クライアント端末と電子帳票管理サーバとが、ネットワークを介して接続されている出力データ作成システムであって、前記クライアント端末は、電子帳票を受信する第１の受信手段と、前記電子帳票内の出力するデータの領域を指定可能な領域指定手段と、前記領域指定手段で指定した領域に係る領域情報を前記電子帳票管理サーバに送信する送信手段とを有し、前記電子帳票管理サーバは、前記クライアント端末から前記領域情報を受信する第２の受信手段と、前記領域情報に対応するデータを前記電子帳票から抽出する抽出手段と、前記領域情報に対応する行見出し設定情報がある場合、前記抽出手段で抽出したデータを前記領域情報に対応する行見出し設定情報がない領域のデータの行見出しデータとして出力データを生成する生成手段とを有する。
【手続補正７】
【補正対象書類名】明細書
【補正対象項目名】００１２
【補正方法】変更
【補正の内容】
【００１２】
本発明のクライアント端末は、電子帳票を管理する電子帳票管理サーバとネットワークを介して接続されたクライアント端末であって、前記電子帳票を受信する受信手段と、前記受信手段で受信した電子帳票を表示制御する表示制御手段と、前記表示制御手段で表示された電子帳票の領域を指定可能な領域指定手段と、前記領域指定手段で指定された領域に対応するデータを、他の領域に対応するデータの行の見出しデータとして出力する設定を行う行見出し領域設定手段と、前記領域指定手段で指定した領域に係る領域情報と前記行見出し領域設定手段で設定された領域に係る行見出し設定情報とを前記電子帳票管理サーバに送信する送信手段とを有し、前記送信手段から前記領域情報と前記行見出し設定情報とを送信することにより、前記電子帳票サーバにおいて、前記領域指定手段で指定された領域に対応するデータを行見出しデータとして繰り返し用いて出力データを生成させる。
【手続補正８】
【補正対象書類名】明細書
【補正対象項目名】００１３
【補正方法】変更
【補正の内容】
【００１３】
本発明の出力データ作成方法は、クライアント端末とネットワークを介して接続されている電子帳票管理サーバにおける出力データ作成方法であって、電子帳票を保存する保存ステップと、前記クライアント端末で指定された領域に関する情報を受信する受信ステップと、前記受信ステップにより取得した領域に関する情報に基づき、前記保存ステップで保存された電子帳票からデータを抽出する抽出ステップと、前記抽出ステップで抽出されたデータが複数行に亘るデータであった場合に、当該複数行のデータを複数列のデータとなるよう出力データを生成する生成ステップとを有する。
【手続補正９】
【補正対象書類名】明細書
【補正対象項目名】００１４
【補正方法】変更
【補正の内容】
【００１４】
本発明の出力データ作成方法における他の態様は、クライアント端末とネットワークを介して接続されている電子帳票管理サーバにおける出力データ作成方法であって、電子帳票を保存する保存ステップと、前記クライアント端末で指定された領域情報を受信する受信ステップと、前記受信ステップにより取得した領域情報に基づき、前記保存ステップで保存された電子帳票からデータを抽出する抽出ステップと、前記領域情報に対応する行見出し設定情報がある場合、前記抽出ステップで抽出したデータを前記領域情報に対応する行見出し設定情報がない領域のデータの行見出しデータとして出力データを生成する生成ステップとを有する。
【手続補正１０】
【補正対象書類名】明細書
【補正対象項目名】００１５
【補正方法】変更
【補正の内容】
【００１５】
本発明のプログラムは、前記出力データ作成方法をコンピュータに実行させるためのものである。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】変更
【補正の内容】
【００２０】
本発明によれば、電子帳票から、ユーザによって選択された領域に含まれる（領域）データを用いて出力データを生成するようにしたので、電子帳票を加工するときに、煩雑で面倒な手順を必要とすることなく、且つユーザにとって見易いものとすることができる。これにより、電子帳票のデータ量が多い場合でも、煩雑で間違え易い数多くの加工作業を軽減することができる。
【手続補正１６】
【補正対象書類名】明細書
【補正対象項目名】００２３
【補正方法】変更
【補正の内容】
【００２３】
図１に示すように、出力データ作成システムは、帳票サーバ（電子帳票管理サーバ）１００と、クライアントＰＣ１０１，１０２と、帳票サーバ１００及び各クライアントＰＣ１０１，１０２を接続するネットワーク１０３を含み構成されている。